(57)【要約】      （修正有）【課題】バスコネクタを提供し、上下カバーと一体成型される上下係固部により、ラッチが扇形にシフトでき、バスコネクタの尺寸を縮小する。【解決手段】バスコネクタは、上下カバー１４，１６両側のハウジング方向に延伸した上係固部１４２、及び、下係固部１６２により、第一スロット２０２と第一軸孔２２６を穿設して、アーム２０、及び、ラッチ２２を組み立てて定位させ、且つ、上下係固部を軸心として、ラッチを扇形にシフトさせる。第一アームはそれぞれ更に第二スロット２０４を有してもよい。また、上下カバーは、更に、対応する上係合部と下係合部を有し、且つ、上下係合部は、それぞれ、第二スロットを穿設し、上下カバーが相互に係合してもよい。【選択図】図１ａ
0003135786.tif 000002
【実用新案登録請求の範囲】
【請求項１】
バスコネクタであって、
第一表面と、相対設置される第二表面を有するハウジングと、
前記ハウジングの相対する二側に設置され、上にそれぞれ第一スロットを形成する二アームと、
押圧部を有し、上方にバックルを延設し、第一軸孔を設置する二ラッチと、
前記ハウジングの第一表面上に設置されるバスと、
両側にそれぞれ、前記ハウジング方向に延伸する上係固部を有し、前記上係固部は、離れた一端に第一スロットを有し、且つ、前記上係固部は前記アームの第一スロット、及び、前記ラッチの第一軸孔を穿過する上カバーと、
両側にそれぞれ、前記ハウジング方向に延伸する下係固部を有し、前記下係固部は、離れた一端に第二スロットを有し、且つ、前記下係固部は前記アームの第一スロット、及び、前記ラッチの第一軸孔を穿過し、前記第二スロットにより、前記上係固部の第一スロットと対応し、前記ラッチの押圧部を押圧することにより、前記バックルを扇形にシフトさせる下カバーと、
からなることを特徴とするバスコネクタ。
【請求項２】
前記第一アームはそれぞれ更に二第二スロットを有することを特徴とする請求項１に記載のバスコネクタ。
【請求項３】
前記上下カバーは、更に、対応する上係合部と下係合部を有し、且つ、前記上下係合部は、それぞれ、前記第二スロットを穿設し、前記上下カバーが相互に係合することを特徴とする請求項２に記載のバスコネクタ。
【請求項４】
前記上カバーの前記上下係合部の相対表面は、それぞれ、凸部を有し、且つ、前記下カバーの上下係合部は、それぞれ、開口を有し、前記上下カバーが相互に係合することを特徴とする請求項３に記載のバスコネクタ。
【請求項５】
前記アームの一側はそれぞれ溝を有し、前記バックルが嵌設されることを特徴とする請求項１に記載のバスコネクタ。
【請求項６】
前記ラッチの押圧部は弾性部分を湾接し、且つ、前記各アームは板を延伸して、前記弾性部分を置入する載置空間を形成することを特徴とする請求項１に記載のバスコネクタ。
【請求項７】
前記二アームの板、及び、載置空間は、反対方向に設置されることを特徴とする請求項６に記載のバスコネクタ。
【請求項８】
前記第一スロットは十字状であることを特徴とする請求項１に記載のバスコネクタ。
【請求項９】
前記バスはフレキシブルフラットケーブルであることを特徴とする請求項１に記載のバスコネクタ。
【考案の詳細な説明】
【技術分野】
【０００１】
本考案は、電気コネクタに関するものであって、特に、バスコネクタに関するものである。
【背景技術】
【０００２】
科学技術の迅速な発展に伴い、各種情報製品の功能は日々多様化し、且つ、体積は縮小し、電子素子は軽薄にする必要がある。バスコネクタは、接合するフレキシブルフラットケーブル(Ｆｌｅｘｉｂｌｅ Ｆｌａｔ Ｃａｂｌｅ，ＦＦＣ)が可撓性と高い信号伝送能力を有し、コネクタジャックにより電子製品中に幅広く応用される。
【考案の開示】
【考案が解決しようとする課題】
【０００３】
本考案は、バスコネクタを提供し、上下カバーと一体成型される上下係固部により、ラッチが扇形にシフトでき、バスコネクタの尺寸を縮小することを目的とする。
【０００４】
本考案は、それぞれ、上下係固部を有する上下カバーにより、組み立てが容易で、製作が簡単、コストが節約できるバスコネクタを提供することを目的とする。
【課題を解決するための手段】
【０００５】
上述の目的を達成するため、本考案の実施例によるバスコネクタは、ハウジングと、二アームと、二ラッチと、バスと、上カバーと、下カバーと、からなる。ハウジングは、第一表面と、相対する第二表面を有する。二アームは、前記ハウジングの相対する二側に設置され、それぞれ第一スロットを形成する。二ラッチは、それぞれ押圧部を有し、上方にバックルを延設し、バックル上に第一軸孔を有する。バスは、ハウジングの第一表面上に設置される。上カバーは、両側がそれぞれハウジング方向に延伸する上係固部を有し、上係固部が上カバーから遠い一端に第一スロットを有し、且つ、上係固部がアームの第一スロット、及び、ラッチの第一軸孔を穿過する。下カバーは、両側にそれぞれ、ハウジング方向に延伸する下係固部を有し、下係固部は、下カバーから遠い一端に第二スロットを有し、且つ、下係固部はアームの第一スロット、及び、ラッチの第一軸孔を穿過して、第二スロットにより上係固部の第一スロットと対応し、ラッチの押圧部を押圧することにより、バックルに扇形シフトを形成させる。
【考案の効果】
【０００６】
本考案により、バスコネクタの尺寸を縮小することができ、更に、組み立てが容易で、製作が簡単、コストが節約できる。
【考案を実施するための最良の形態】
【０００７】
図１ａは本考案の実施例によるバスコネクタの分解図である。バスコネクタはハウジング１８を有し、バス１２（例えば、フレキシブルフラットケーブル）を貼設する第一表面１８２、及び、第二表面１８４を相対設置し、上下カバー１４、１６は、それぞれ、バス１２、及び、ハウジング１８の第二表面１８４上に相対設置され、ハウジング１８両側は二アーム２０と二ラッチ２２を有する。図１ｂは、本考案の実施例によるバスコネクタの上下カバー、アーム、ラッチの部分構造図である。各アーム２０上に十字状の第一スロット２０２、及び、二第二スロット２０４、２０４'を形成し、アーム２０の外側表面は、第一スロット２０２に連通する溝２０６を形成する。且つ、アーム２０の下端は板２０８を延伸し、且つ、載置空間２０９を形成する。ラッチ２２は押圧部２２４を有し、内は弾性部分２２８を湾折し、上方はバックル２２２を延設し、且つ、バックル２２２上に第一軸孔２２６を設置する。上カバー１４、及び、下カバー１６両側の頂縁、及び、底縁は、それぞれ、上係合部１４６、１６６、及び、下係合部１４８、１６８を対応設置する。上係合部１４６、１６６、及び、下係合部１４８、１６８は、ハウジング１８の方向に延伸し、且つ、それぞれ、アーム２０上の第二スロット２０４、及び、２０４'を穿過する。上カバー１４の上係合部１４６、及び、下係合部１４８の相対表面は、それぞれ、凸部１４７、１４９を設置し（図１ｃ）、下カバー１６の上係合部１６６、及び、下係合部１６８は、それぞれ、開口１６９を有し、上カバー１４、及び、下カバー１６は相互に係合する。
【０００８】
上カバー１４の両側はそれぞれ、ハウジング１８方向に延伸する上係固部１４２を有し、且つ、上係固部１４２は上カバー１４から遠い一端が第一溝１４４を有する。下カバー１６の頂縁はハウジング１８方向に延伸する下係固部１６２を有し、且つ、下係固部１６２は下カバー１６から遠い一端が第二溝１６４を有する。上係固部１４２と下係固部１６２はアーム２０の第一スロット２０２とラッチ２２の第一軸孔２２６を穿設し、第一溝１４４、及び、第二溝１６４により、上係固部１４２、及び、下係固部１６２を相互に固定し、ラッチ２２とアーム２０を定位させ、且つ、ラッチ２２の押圧部２２４を押圧して、バックル２２２に扇形シフトさせる。
【０００９】
図１ａと図１ｂで示されるように、バックル２２２がアーム２０の溝２０６に嵌設される時、第一軸孔２２６と第一スロット２０２は対応重畳し、上係固部１４２、及び、下係固部１６２により第一スロット２０２、第一軸孔２２６を穿過して、ラッチ２２とアーム２０を定位させる。
【００１０】
バスコネクタの組み立ては、図２ａで示されるように、バスコネクタと連接コネクタ（図示しない）を接続する時、図２ａと図２ｂで示されるように、ラッチ２２の押圧部２２４を押圧して、ラッチ２２のバックル２２２が上下係固部を支点として扇形にシフトし、コネクタのジャック内に係入される。その後、押圧部２２４を開放し、載置空間（図１ｂ中で示される載置空間２０９）内に位置する弾性部分２２８が形成する弾性回復力により、バックル２２２とコネクタジャックが安定した接続を形成する。
【００１１】
この他、再度、図１ｂを参照すると、アーム２０の板２０８と載置空間２０９は反対側に設置され、即ち、一側のアーム２０の板２０８は載置空間２０９上方に位置し、もう一側のアーム２０の板２０８は載置空間２０９下方に位置し、この種の反対方向に設置される設計は、ラッチ２２を二アーム２０に装着する時、同一の金型により構成される尺寸、形状が相同のラッチ２２を使用し、且つ、二ラッチ２２間で交替使用でき、快速な大量生産製造が可能で、且つ、金型の製作コストも減少し、加工コスト、組み立てコストが減少する。
【００１２】
総合すると、バスコネクタのハウジングは十字状に結合された上下係固部を相互に係固し、効果的に、ラッチとアームの分離を防止し、且つ、上下係固部を軸心として、ラッチを扇形シフトさせ、組み立てが容易、製造が簡単、価格が安いという長所が得られる。また、板と載置空間の反対方向の設置により、ラッチの金型製作コストを更に減少させ、バスコネクタは快速な大量生産が可能で、コストが低いという長所を達成できる。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１ａ】本考案の実施例によるバスコネクタの立体分解図である。
【図１ｂ】本考案の実施例によるバスコネクタの上下カバー、及び、アームの構造図である。
【図１ｃ】本考案の実施例によるバスコネクタの上カバーの右側図である。
【図２ａ】本考案の実施例によるバスコネクタの組み立て完成正面図である。
【図２ｂ】本考案の実施例によるバスコネクタのラッチの押圧状態図である。
【符号の説明】
【００１５】
１２  バス
１４  上カバー
１４２  上係固部
１４４  第一溝
１４６  上係合部
１４７  凸部
１４８  下係合部
１４９  凸部
１６  下カバー
１６２  下係固部
１６４  第二溝
１６６  上係合部
１６８  下係合部
１６９  開口
１８  ハウジング
１８２  第一表面
１８４  第二表面
２０  アーム
２０２  第一スロット
２０４、２０４'  第二スロット
２０６  溝
２０８  板
２０９  載置空間
２２  ラッチ
２２２  バックル
２２４  押圧部
２２６  第一軸孔
２２８  弾性部分
【図１ａ】
0003135786.tif 000003
【図１ｂ】
0003135786.tif 000004
【図１ｃ】
0003135786.tif 000005
【図２ａ】
0003135786.tif 000006
【図２ｂ】
0003135786.tif 000007